(57)【要約】【課題】レンチキュラーレンズにより絵模様の変化を楽しむことができるとともに、鮮やかな絵模様を楽しむことができる発光玩具の提供。【解決手段】透明部材で形成された導光板３１と、導光板３１の側面から内部へ光を照射する発光ダイオード３４，３５と、導光板３１に形成されて当該導光板３１内に照射された光を乱反射させる装飾部５と、装飾部５を覆うように導光板３１に並設されたレンチキュラーレンズ３２，３３と、を備える発光玩具１。【選択図】図２
2011115386.tif 000002
【特許請求の範囲】
【請求項１】
透明部材で形成された導光板と、
前記導光板の側面から内部へ光を照射する光源と、
前記導光板に形成され、当該導光板内に照射された光を乱反射させる装飾部と、
前記装飾部を覆うように前記導光板に並設されたレンチキュラーレンズと、
を備えることを特徴とする発光玩具。
【請求項２】
前記導光板と前記レンチキュラーレンズとが一体的に構成されていることを特徴とする請求項１に記載の発光玩具。
【請求項３】
前記導光板と前記レンチキュラーレンズとは、互いの表面に沿って相対移動可能に構成されていることを特徴とする請求項１に記載の発光玩具。
【請求項４】
前記導光板を移動させる移動手段を備えることを特徴とする請求項３に記載の発光玩具。
【請求項５】
前記移動手段はゼンマイ機構であることを特徴とする請求項４に記載の発光玩具。
【請求項６】
前記装飾部には、花火が火花を散らす絵模様が形成され、
前記ゼンマイ機構は、前記導光板を移動させるときに花火の発火音を模した機械音を発することを特徴とする請求項５に記載の発光玩具。
【請求項７】
棒状の把持部を備え、
手持ち花火を模した形状に形成されることを特徴とする請求項６に記載の発光玩具。
【請求項８】
前記光源は、赤，緑及び青の各色を発光する発光ダイオードと、白色を発光する発光ダイオードとからなることを特徴とする請求項１〜７の何れか一項に記載の発光玩具。
【発明の詳細な説明】
【技術分野】
【０００１】
本発明は、発光玩具に関し、特に、レンチキュラーレンズを備える発光玩具に関する。
【背景技術】
【０００２】
従来、微細な細長い凸レンズが表面に複数形成されたレンチキュラーレンズを絵模様の上で平行移動させることにより、絵模様の変化を楽しむことのできる玩具が知られている（例えば、特許文献１参照）。
【先行技術文献】
【特許文献】
【０００３】
【特許文献１】登録実用新案第３０３３６３６号公報
【発明の概要】
【発明が解決しようとする課題】
【０００４】
しかしながら、このような玩具では、表面に無数の凸レンズが形成されたレンチキュラーレンズを介して絵模様が観賞されるため、絵模様がぼやけて見えてしまうといった問題があった。
【０００５】
本発明は、上記課題を鑑みてなされたもので、レンチキュラーレンズにより絵模様の変化を楽しむことができるとともに、鮮やかな絵模様を楽しむことのできる発光玩具の提供を目的とする。
【課題を解決するための手段】
【０００６】
上記課題を解決するために、請求項１に記載の発明は、発光玩具において、
透明部材で形成された導光板と、
前記導光板の側面から内部へ光を照射する光源と、
前記導光板に形成され、当該導光板内に照射された光を乱反射させる装飾部と、
前記装飾部を覆うように前記導光板に並設されたレンチキュラーレンズと、
を備えることを特徴とする。
【０００７】
請求項２に記載の発明は、請求項１に記載の発光玩具において、
前記導光板と前記レンチキュラーレンズとが一体的に構成されていることを特徴とする。
【０００８】
請求項３に記載の発明は、請求項１に記載の発光玩具において、
前記導光板と前記レンチキュラーレンズとは、互いの表面に沿って相対移動可能に構成されていることを特徴とする。
【０００９】
請求項４に記載の発明は、請求項３に記載の発光玩具において、
前記導光板を移動させる移動手段を備えることを特徴とする。
【００１０】
請求項５に記載の発明は、請求項４に記載の発光玩具において、
前記移動手段はゼンマイ機構であることを特徴とする。
【００１１】
請求項６に記載の発明は、請求項５に記載の発光玩具において、
前記装飾部には、花火が火花を散らす絵模様が形成され、
前記ゼンマイ機構は、前記導光板を移動させるときに花火の発火音を模した機械音を発することを特徴とする。
【００１２】
請求項７に記載の発明は、請求項６に記載の発光玩具において、
棒状の把持部を備え、
手持ち花火を模した形状に形成されることを特徴とする。
【００１３】
請求項８に記載の発明は、請求項１〜７の何れか一項に記載の発光玩具において、
前記光源は、赤，緑及び青の各色を発光する発光ダイオードと、白色を発光する発光ダイオードとからなることを特徴とする。
【発明の効果】
【００１４】
請求項１に記載の発明によれば、光源からの光が乱反射される装飾部の絵模様が、レンチキュラーレンズを介して観賞される。したがって、遊技者は、レンチキュラーレンズを介すことにより、見る角度に応じた絵模様の変化を楽しむことができるとともに、鮮やかに光装飾された絵模様を楽しむことができる。
【００１５】
請求項２に記載の発明によれば、導光板とレンチキュラーレンズとが一体的に構成されてので、当該発光玩具をコンパクトに構成することができる。
【００１６】
請求項３に記載の発明によれば、導光板とレンチキュラーレンズとは互いの表面に沿って相対移動可能に構成されているので、遊技者は、これら導光板とレンチキュラーレンズとの相対移動によって変化する絵模様を楽しむことができる。
【００１７】
請求項４に記載の発明によれば、導光板を移動させる移動手段を備えるので、遊技者は、導光板とレンチキュラーレンズとを手動で相対移動させる必要なく、これら導光板とレンチキュラーレンズとの相対移動によって変化する絵模様を楽しむことができる。
【００１８】
請求項５に記載の発明によれば、導光板を移動させる移動手段がゼンマイ機構であるので、簡易な構成で導光板を移動させることができる。
【００１９】
請求項６に記載の発明によれば、装飾部には花火を模した絵模様が形成され、ゼンマイ機構は導光板を移動させるときに花火の発火音を模した機械音を発するので、遊技者は、鮮やかに光装飾された花火の絵模様とともに疑似的な発火音を楽しむことができ、あたかも本物の花火で遊んでいるかのような臨場感を楽しむことができる。
【００２０】
請求項７に記載の発明によれば、棒状の把持部を備え、手持ち花火を模した形状に形成されるので、本物の花火で遊んでいるかのような遊技者の臨場感を増幅させることができる。
【００２１】
請求項８に記載の発明によれば、光源は、赤，緑及び青の各色を発光する発光ダイオードと、白色を発光する発光ダイオードとからなるので、絵模様に合わせて装飾部をあらゆる色に光装飾させることができる。
【図面の簡単な説明】
【００２２】
【図１】実施形態における発光玩具の正面図である。
【図２】実施形態における発光部の側断面図である。
【図３】実施形態における移動機構部の内部構造を説明するための図である。
【図４】実施形態の変形例における発光玩具の正面図である。
【図５】実施形態の変形例における移動機構部の正面図である。
【図６】発光部の別例を示す側断面図である。
【図７】発光玩具の別例を示す外観図である。
【図８】発光玩具の他の別例を示す外観図である。
【発明を実施するための形態】
【００２３】
以下、本発明の実施形態について、図を参照して説明する。
【００２４】
図１は、本発明に係る発光玩具１の正面図である。なお、以下の説明では、図１の上下方向をＸ方向とし、これと直交する図１の左右方向をＹ方向とする。
この図に示すように、発光玩具１は、手持ち花火を模した形状に形成されており、Ｘ方向に長尺な中空棒状の把持部２を有している。この把持部２の一端（図１の下端）には、平面視方形状の発光部３が配設され、他端（図１の上端）には、主に後述の導光板３１をＸ方向へ移動させるための移動機構部４が配設されている。
【００２５】
図２は、発光部３の側断面図である。
この図に示すように、発光部３は、導光板３１と、２枚のレンチキュラーレンズ３２，３３と、２つの発光ダイオード３４，３５とを備えている。
このうち、導光板３１は、方形板状の透明部材で形成され、把持部２に挿通された後述の軸部材２１の下端に取り付けられてＸ−Ｙ平面に平行に配設されている。導光板３１の一方の面（図２の右面）には、複数の凹部３１ａが形成されており、当該複数の凹部３１ａによって、線香花火が火花を散らす絵模様が描かれている（図１参照）。この複数の凹部３１ａは、後述するように、導光板３１内に照射された光を乱反射させる装飾部５を構成している。
レンチキュラーレンズ３２，３３は、微細な細長い蒲鉾状の凸レンズ３２ａ，３３ａが一方の表面に複数配列された方形板状の透明部材である。レンチキュラーレンズ３２，３３は、この細長い凸レンズ３２ａ，３３ａをＹ方向へ延在させつつそれぞれ外方へ露出させるように、導光板３１を厚さ方向に挟んで並設されている。このレンチキュラーレンズ３２，３３の側面のうち下側を除く３方の側面は、把持部２の下端に接合されたカバー部材３６と固定されている（図１参照）。また、レンチキュラーレンズ３２，３３は、導光板３１と同程度のＹ方向長さに形成されるとともに、導光板３１よりもＸ方向に長尺に形成されており、より詳しくは、後述するように、導光板３１のＸ方向への移動範囲に亘るＸ方向長さに形成されている。こうして、レンチキュラーレンズ３２，３３は、導光板３１の装飾部５を覆うように配設されている。
発光ダイオード３４，３５は、導光板３１の上側面から内部へ光を照射する光源であり、発光面を導光板３１の上側面に対向させた状態で後述の軸部材２１の下端に固定されている。このうち、発光ダイオード３４は、赤，緑及び青（ＲＧＢ）の各色を発光するものであり、発光ダイオード３５は、白色を発光するものである。
【００２６】
図３は、移動機構部４の内部構造を説明するための図である。
この図に示すように、移動機構部４には、導光板３１を移動させる歯車機構４１の他、制御基板４２及び電池ボックス４３が配設されており、これらは把持部２の上端に固定された固定板４０に取り付けられている。制御基板４２は、電池ボックス４３内の電池４３１と接続される他、軸部材２１を通じて発光ダイオード３４，３５と接続されており、発光ダイオード３４，３５の発光を制御するように構成されている。
歯車機構４１は、ラック部材４１１と、ピニオン部材４１２と、ギア部材４１３と、ゼンマイボックス４１４とから構成されている。ラック部材４１１は、把持部２に挿通された軸部材２１に固定されており、Ｘ方向に沿ってラック歯が形成されている。ピニオン部材４１２は、同軸に形成された小径歯車４１２ａ及び大径歯車４１２ｂを有しており、このうちの小径歯車４１２ａはラック部材４１１のラック歯と噛合し、大径歯車４１２ｂはギア部材４１３の歯と噛合している。ここで、ラック部材４１１が固定された軸部材２１は、Ｘ方向に沿って移動可能なように把持部２の全長に亘って挿通されており、上述したように、下端に発光部３の導光板３１が取り付けられている。また、軸部材２１のＸ方向への移動は、当該軸部材２１とともに移動するラック部材４１１のラック歯がピニオン部材４１２の小径歯車４１２ａから外れない範囲に規制されている。
ゼンマイボックス４１４は、いわゆるプルバックゼンマイの構造を備えており、図示しない歯車部材及びゼンマイばねを有している。そして、このうちの歯車部材がギア部材４１３の軸部４１３ａと係合しており、ギア部材４１３の回転（図３での時計回り方向への回転）に伴って歯車部材が回転され、ゼンマイばねが巻回される。また、ゼンマイばねが巻回されて付勢された後、その付勢力によって緩むときには、歯車部材を介してギア部材４１３が逆回転（図３での反時計回り方向への回転）されるとともに、歯車部材が回転する機械音が発せられるように構成されている。なお、このゼンマイボックス４１４は、従来より公知のプルバックゼンマイの構造となっているため、その詳しい説明は省略する。プルバックゼンマイについては、例えば登録実用新案第３０２３６１４号公報に開示されている。
【００２７】
以上の構成を具備する発光玩具１では、遊技者によって軸部材２１の上端が下方へ押し込まれると、軸部材２１の下端に固定された導光板３１が下方へ移動されると同時に、ラック部材４１１の移動によりピニオン部材４１２及びギア部材４１３が回転されてゼンマイボックス４１４内のゼンマイばねが巻回される。そして、遊技者が軸部材２１から手を離すと、ゼンマイばねの付勢力によりピニオン部材４１２及びギア部材４１３を介してラック部材４１１が軸部材２１とともに上方へ移動され、これに伴って導光板３１も上方へ移動する。つまり、遊技者が軸部材２１を下方へ押し込むと、導光板３１が上下方向（Ｘ方向）へ往復移動する。
【００２８】
このとき、導光板３１のＸ方向への往復移動に伴って、発光ダイオード３４，３５が制御基板４２に制御されて発光する。このときの発光態様としては、まず、最初は発光ダイオード３５が微かな白色を発光し、徐々にその発光を強める。それから、発光ダイオード３５に代わって発光ダイオード３４がＲＧＢの各色を発光し始め、次第に激しくＲＧＢの各色を交互に明滅させていった後に、徐々に発光を弱めていく。そして、発光ダイオード３４に代わって発光ダイオード３５が白色を発光して、これを徐々に弱めていった後に発光を止める。また、発光ダイオード３４がＲＧＢの各色を激しく明滅させるときに、導光板３１がゼンマイばねの付勢力で上方へ移動するように構成されており、このときにゼンマイボックス４１４内の歯車部材が回転する機械音が発せられるようになっている。
【００２９】
このような発光態様によって導光板３１内に照射された発光ダイオード３４，３５の光は、凹部３１ａで乱反射されることで当該凹部３１ａ、つまり装飾部５を発光させる。これにより、装飾部５に形成された線香花火の絵模様は、あたかも線香花火が徐々に激しく発火した後に余韻を残しつつ消えていくように、鮮やかに照らされる。また、導光板３１とレンチキュラーレンズ３２，３３とが互いの表面に沿ってＸ方向へ相対移動することにより、レンチキュラーレンズ３２，３３を介して観賞される装飾部５の絵模様が変化する。更に、ゼンマイボックス４１４内の歯車部材の機械音が、あたかも激しく火花を散らす線香花火の発火音のように発せられる。
【００３０】
以上の発光玩具１によれば、発光ダイオード３４，３５からの光が乱反射される装飾部５の絵模様が、レンチキュラーレンズ３２，３３を介して観賞される。したがって、遊技者は、レンチキュラーレンズ３２，３３を介すことにより、見る角度に応じた絵模様の変化を楽しむことができるとともに、鮮やかに光装飾された絵模様を楽しむことができる。
【００３１】
また、遊技者は、導光板３１とレンチキュラーレンズ３２，３３との相対移動によって変化する絵模様を楽しむことができる。
更に、導光板３１を移動させる歯車機構４１を備えることにより、遊技者は、導光板３１とレンチキュラーレンズ３２，３３とを手動で直接に相対移動させる必要なく、これら導光板３１とレンチキュラーレンズ３２，３３との相対移動によって変化する絵模様を楽しむことができる。
加えて、この歯車機構４１はゼンマイばねの付勢力を利用したゼンマイ機構であるため、簡易な構成で導光板３１を移動させることができる。
【００３２】
また、装飾部５には線香花火を模した絵模様が形成され、ゼンマイボックス４１４は導光板３１を移動させるときに線香花火の発火音を模した機械音を発するので、遊技者は、鮮やかに光装飾された線香花火の絵模様とともに疑似的な発火音を楽しむことができ、あたかも本物の花火で遊んでいるかのような臨場感を楽しむことができる。
更に、棒状の把持部２を備えて手持ち花火を模した形状に形成されることにより、本物の線香花火で遊んでいるかのような遊技者の臨場感を増幅させることができる。
【００３３】
［変形例］
続いて、上記実施形態の変形例について説明する。なお、上記実施形態と同様の構成要素には同一の符号を付し、その説明を省略する。
図４は、本変形例における発光玩具１Ａの正面図である。
この図に示すように、発光玩具１Ａは、上記実施形態における移動機構部４に代えて、移動機構部４Ａを備えている。移動機構部４Ａは把持部２の下端に配設され、当該移動機構部４Ａの下端に発光部３が配設されている。移動機構部４Ａは、２枚のカバー部材４４によって主要部を覆われており、この２枚のカバー部材４４が各レンチキュラーレンズ３２，３３と把持部２とを固定している。
【００３４】
図５は、図示手前側のカバー部材４４を取り外した状態の移動機構部４Ａの正面図である。
この図に示すように、移動機構部４Ａには、カバー部材４４に覆われた固定板４０Ａが設けられている。固定板４０Ａは、把持部２に挿通された軸部材２１の下端に取り付けられるとともに、導光板３１の上端に固定されている。
固定板４０Ａには、導光板３１を移動させるためのベローズ４５が取り付けられている。このベローズ４５は、Ｘ方向に伸縮可能となっており、Ｘ方向の一端が固定板４０Ａに固定されるとともに、他端がレンチキュラーレンズ３２，３３に固定されている。
また、固定板４０Ａには、制御基板４２Ａと、発光ダイオード３４，３５と、図示しない電池及びスピーカーとが取り付けられている。制御基板４２Ａは、発光ダイオード３４，３５の他、電池及びスピーカーと接続されており、発光ダイオード３４，３５の発光を制御するとともに、この発光に合わせて線香花火の発火音を発するようスピーカーの動作を制御するように構成されている。なお、発光ダイオード３４，３５は、軸部材２１でなく固定板４０Ａに固定されている点以外については、上記実施形態と同様に構成されている。
【００３５】
以上の構成を具備する発光玩具１Ａでは、遊技者によって軸部材２１の上端が下方へ押し込まれると、軸部材２１の下端に固定された導光板３１が下方へ移動されると同時に、軸部材２１に固定された固定板４０Ａの移動によりベローズ４５がＸ方向に収縮される。そして、遊技者が軸部材２１から手を離すと、その弾性反力で伸長するベローズ４５により固定板４０Ａを介して軸部材２１が上方へ移動され、これに伴って導光板３１も上方へ移動する。つまり、遊技者が軸部材２１を下方へ押し込むと、導光板３１が上下方向（Ｘ方向）へ往復移動する。このときの発光ダイオード３４，３５の発光態様は、上記実施形態と同様である。
【００３６】
以上のような発光玩具１Ａによっても、上記実施形態における発光玩具１と同様の効果を奏することができる。但し、当該発光玩具１Ａでは、歯車部材の回転による機械音ではなく、スピーカーからの音声出力によって線香花火の疑似的な発火音を楽しむことができる。
【００３７】
なお、本発明は上記実施形態及びその変形例に限定して解釈されるべきではなく、適宜変更・改良が可能であることは勿論である。
【００３８】
例えば、上記実施形態及びその変形例では、導光板３１とレンチキュラーレンズ３２，３３とを別体に構成するものとしたが、図６に示すように、導光板とレンチキュラーレンズとを一体的に構成してもよい。この場合には、装飾部５（複数の凹部３１ａ）をレンチキュラーレンズ３２の裏面（凸レンズ３２ａと反対の面）に設ければよい。このような発光玩具１では、導光板とレンチキュラーレンズとの相対移動による絵模様の変化は観賞できないものの、見る角度に応じた絵模様の変化は楽しむことができ、また、当該発光玩具１をコンパクトに構成することができる。
【００３９】
また、発光玩具１は手持ち花火を模した形状でなくともよい。例えば、図７に示すように、時計板に発光部３を設けた目覚まし時計型の発光玩具としてもよいし、図８に示すように、ガラスコップを載置する底面に発光部３を設けたソーサー型の発光玩具としてもよい。この場合、装飾部５の絵模様は花火以外のものに自由に変えることができる。このように花火以外の絵模様の場合であっても、ＲＧＢの各色を発光する発光ダイオード３４と、白色を発光する発光ダイオード３５とにより、絵模様に合わせて装飾部５をあらゆる色に光装飾させることができる。
【００４０】
また、複数の凹部３１ａ（装飾部５）は導光板３１の一方の面のみに形成するものとしたが、両面に形成してもよい。この場合に、両面で異なる絵模様の装飾部５を形成し、見る角度の変化や導光板３１の移動によって絵模様が変わるように構成してもよいし、絵模様に立体感が得られるように構成してもよい。
【００４１】
また、レンチキュラーレンズ３２，３３に対して導光板３１を移動させるものとしたが、導光板３１を動かさずにレンチキュラーレンズ３２，３３を移動させてもよい。
更に、導光板３１を移動させるための歯車機構４１やベローズ４５は設けなくともよい。このような発光玩具１であっても、例えば遊技者が発光玩具１を振るなどすることによって導光板３１とレンチキュラーレンズ３２，３３とが相対移動可能であれば、遊技者は装飾部５の絵模様の変化を楽しむことができる。
【符号の説明】
【００４２】
１，１Ａ    発光玩具
２          把持部
５          装飾部
３１        導光板
３２，３３  レンチキュラーレンズ
３４，３５  発光ダイオード（光源）
４１        歯車機構（移動手段）
４５        ベローズ（移動手段）
【図１】
2011115386.tif 000003
【図２】
2011115386.tif 000004
【図３】
2011115386.tif 000005
【図４】
2011115386.tif 000006
【図５】
2011115386.tif 000007
【図６】
2011115386.tif 000008
【図７】
2011115386.tif 000009
【図８】
2011115386.tif 000010